(57)【要約】      （修正有）【課題】衛生的に使用可能であるとともに、トング倒れ等の心配が要らないトング及びこれを含んだ調理器具セットを提供する。【解決手段】本トング１は、一対の把持部２，２と、把持部を連結可能な連結部３とを備える。さらに、トング１では、連結部３に錘体４を設け、かつ、連結部の底部６を底面の中央Ｏが最も張り出した凸状曲面に形成したことを特徴とする。なお、錘体４が金属であり、かつ、把持部２，２は前記金属の比重よりも小さな材料であることが好ましい。連結部３は、把持部を連結する第１部材と、錘体と底部とを有した第２部材とを含み、かつ、第１部材は第２部材に着脱自在に接続されることが好ましい。また、トング本体と置換可能な、しゃもじ形状又はへら形状を成す先端を有した少なくとも一つの装着部材とを備えた調理器具セットも提供される。【選択図】図１
0003171797.tif 000002
【実用新案登録請求の範囲】
【請求項１】
一対の把持部と、前記把持部を連結可能な連結部と、を備えたトングであって、
前記連結部に錘体を設け、かつ、
前記連結部の底部を前記底部の底面の中央が最も張り出した凸状曲面に形成したことを特徴とするトング。
【請求項２】
前記錘体が金属であり、かつ、前記把持部は前記金属の比重よりも小さな材料であることを特徴とする請求項１に記載のトング。
【請求項３】
前記連結部は、前記把持部を連結する第１部材と、前記錘体と前記底部とを有した第２部材と、を含み、かつ、前記第１部材は前記第２部材に着脱自在に接続されることを特徴とする請求項１又は２に記載のトング。
【請求項４】
請求項３に記載のトングと、
しゃもじ形状又はへら形状を成す先端を有した少なくとも一つの装着部材と、
を備え、かつ、
前記把持部と前記連結部の前記第１部材とを含んだトング本体に替えて、前記装着部材の他端が、前記トングの前記第２部材に着脱自在に接続可能であることを特徴とする調理器具セット。
【考案の詳細な説明】
【技術分野】
【０００１】
本考案は、惣菜等の食品の取り分けに用いるトングに関し、より詳しくは、衛生的に使用可能なトングに関するものである。
【背景技術】
【０００２】
トングとして、従来より、大皿に盛られた料理や食材から所望の分量だけ小皿に取り分けるための食品用トングや氷を把持するためのアイストングが知られている。トングは、通常、一対の把持部と、各把持部を弾性変形可能に連結する連結部（例えば、Ｕ字状連結部）と、によって構成される（例えば、特許文献１を参照）。
【０００３】
しかしながら、取り分け作業を一旦中断又は終了した際には、台所や食卓テーブルの面にトングを寝かせた状態で置くために、把持部が衛生的でなくなるとともに、テーブル面を清潔に保つことができない不都合があった。また、テーブル自体が小さかったり、料理が盛られた皿（ディッシュ）がテーブルに沢山並べられたりしていると、トングの置き場所に困るという不都合もあった。
【０００４】
このような不都合を解消するために、トング把持部を載置又は保持可能な受け皿や専用のトング受け具（例えば、特許文献２を参照）が既に提案又は使用されている。しかしながら、受け皿の場合は、テーブル面は汚れないものの、トングの使用が済んだ後はトング以外に受け皿も洗う必要があった。また、トング受け具の場合は、このような専用器具を別途用意しなければならないという問題があった。加えて、双方の場合とも、トングを置くときに、受け皿やトング受け具の位置を確認しなければならないという煩わしさがあった。
【０００５】
また、特許文献３には、一対の挟持部と握り部とからなり、テーブル等の面に起立保持可能な起立保持部が握り部に設けられた食品用トングが開示されている。特許文献３に開示のトングは、トングを起立保持させるために、握り部の基部底面を平坦面に形成させてなるものである。
【０００６】
しかしながら、このような構造のトングは、勢いよくトングをテーブル面に置いたり、ふとした拍子に腕や手が起立したトングに当たったり、トングを起立させているテーブルが動いたりした場合には、トングが容易に倒れてしまう恐れがあった。従って、トングの載置時や起立保持させている間は、トング倒れが起こらないよう、操作者やその近辺にいる者はトングの操作や自らの行動や立居振舞に余計な気遣いをしなければならなかった。
【先行技術文献】
【特許文献】
【０００７】
【特許文献１】特開２００７−９８０６２号公報
【特許文献２】特開平１１−２９９６２３号公報
【特許文献３】登録実用新案第３１５２７４５号公報
【考案の概要】
【考案が解決しようとする課題】
【０００８】
本考案は、このような従来の実情に鑑みて提案されたものであり、従来の技術が有する欠点を排除したトングを提供することを目的とする。すなわち、本考案は、衛生的に使用可能であるとともに、トング倒れ等の心配が要らないトング及びこれを含んだ調理器具セットを提供することを目的とする。
【課題を解決するための手段】
【０００９】
本考案者は、鋭意検討した末、トング連結部に錘体を内蔵しつつ、トング連結部の底部をその中心が最も張り出した曲面状に形成すれば、トングを無造作にテーブルに置いたり、ふとした拍子に起立したトングに触れたりしても、トングは左右に揺れながら次第に静止すること（起き上がりこぼし的な動作・機能を発揮すること）を見出し、本考案を完成するに至った。
【００１０】
すなわち、本考案は、少なくとも次の構成・特徴を採用するものである。
（態様１）
一対の把持部と、前記把持部を連結可能な連結部と、を備えたトングであって、
前記連結部に錘体を設け、かつ、
前記連結部の底部を前記底部の底面の中央が最も張り出した凸状曲面に形成したことを特徴とするトング。
（態様２）
前記錘体が金属であり、かつ、前記把持部は前記金属の比重よりも小さな材料であることを特徴とする態様１に記載のトング。
（態様３）
前記連結部は、前記把持部を連結する第１部材と、前記錘体と前記底部とを有した第２部材と、を含み、かつ、前記第１部材は前記第２部材に着脱自在に接続されることを特徴とする態様１又は２に記載のトング。
（態様４）
態様３に記載のトングと、
しゃもじ形状又はへら形状を成す先端を有した少なくとも一つの装着部材と、
を備え、かつ、
前記把持部と前記連結部の前記第１部材とを含んだトング本体に替えて、前記装着部材の他端が、前記トングの前記第２部材に着脱自在に接続可能であることを特徴とする調理器具セット。
【考案の効果】
【００１１】
本考案のトングによれば、以上の構成を備えているため、テーブル等の設置面に対してトングが単独で自立するようになる。従って、従来の一般的なトングを使用する際に必要だったトング用の受け皿等を別途用意する必要が無くなる。
【００１２】
また、本考案のトングは、上述のように中心点を基点に凸状曲面に形成された底面を有するとともに、底面の近くに（すなわち、設置面の近くに）、錘体が設けられていることから、トングを無造作に（或いは勢いよく）設置面上に置いてしまっても、底面の中心点を基点としてトングが左右に揺動しながら次第に静止するようなユニークな動作・機能（言い換えれば、起き上がりこぼしのような動作・機能）を発揮するようになる。従って、勢いよくトングをテーブル面に置いたり、ふとした拍子に腕や手が起立したトングに当たったり、トングを起立させているテーブルが動いたりしても、トングが容易に倒れてしまう恐れが無い。
【００１３】
また、本考案のトングは単独で自立するとともにその自立の為の底面の面積も非常に小さいために、使用時と保管時ともにトングの置き場所にも困る事も無い。
【００１４】
なお、本発明の好適な態様によれば、錘体が金属（例えば、鋼）で作られ、かつ、把持部は錘体の金属（例えば、鋼）の比重よりも小さな材料（例えば、鋼より比重の小さいアルミニウム等の金属、木、又は樹脂）で作られていることが好ましい。把持部と錐体との寸法が確定している場合、把持部の比重と、錐体の比重と、の差が大きくなればなる程、後述する本考案のトングの作用効果（起き上がりこぼし的な機能）をより顕著に発揮させやすくなるからである。
【図面の簡単な説明】
【００１５】
【図１】本考案の実施例に係るトングを示した分解斜視図である。
【図２】本考案の実施例に係るトングを示した斜視図である。
【図３】本考案の実施例に係るトングを示した平面図と底面図である。
【図４】図３（ａ）のＡ−Ａ’線で破断した断面図である。
【図５】本考案のトングの起き上がりこぼし的な動作・機能を説明した図である。
【図６】本考案の調理器具セットを説明した図である。
【図７】本考案の調理器具セットを説明した図である。
【考案を実施するための形態】
【００１６】
以下、本考案を図面に示す実施の形態に基づき説明するが、本考案は、下記の具体的な
実施形態に何等限定されるものではない。なお、各図において同一又は対応する要素には同一符号を用いる。
【実施例１】
【００１７】
図１及び図２はそれぞれ、本考案の実施例に係るトングを示した分解斜視図及び斜視図を示す。図３（ａ）及び（ｂ）はトングの平面図及び底面図を示す。なお、図４は図３（ａ）のＡ−Ａ’線で破断した断面図である。図５は本考案のトングの作用効果（すなわち、起き上がりこぼし的な動作・機能）を説明した図である。図６及び図７は、本考案の別の実施例である調理器具セットを説明した図である。
【００１８】
（トングの構造・特徴）
本考案のトング１は、少なくとも一対の把持部２，２と、把持部２，２を連結可能な連結部３と、を備える。ここで、連結部３には錘体４が設けられる。実施例に示す錘体４は、図１や図４に示すように、連結部３の内部（つまり、内部空間５）に収容される。また、トング１には、錘体４を載置可能な受容部６が設けられるが、図２に示すように、受容部６を連結部３に組み付けた後は、受容部６は連結部３の底部を成すこととなる。また、受容部（つまり連結部３の底部）６は底面７を有し、その中央Ｏが最も張り出した凸状曲面に形成されていることを特徴とする。
【００１９】
以上のような構成を採用することにより、テーブル等の設置面Ｇに対してトング１が単独で自立するようになる（図５の実線で描いたトング１を参照）。従って、従来の一般的なトングを使用する際に必要だったトング用の受け皿等を別途用意する必要が無くなる。
【００２０】
なお、上述の特許文献３に開示のトング構成と異なり、本考案のトング１は、上述のように中心点Ｏを基点に凸状曲面に形成された底面７を有するとともに、底面７の近くに（すなわち、設置面Ｇの近くに）、錘体４が設けられていることから、トング１を無造作に（或いは勢いよく）設置面Ｇ上に置いたとしても、底面７の中心点Ｏを基点としてトング１が左右に揺動しながら次第に静止するようなユニークな動作・機能（言い換えれば、起き上がりこぼしのような動作・機能）を発揮するようになる事に留意されたい（図５を参照）。
【００２１】
なお、錘体４が金属（例えば、鋼）で作られ、かつ、把持部２，２は錘体４の金属（例えば、鋼）の比重よりも小さな材料（例えば、鋼より比重の小さいアルミニウム等の金属、木、又は樹脂）で作られていることが好ましい。把持部２，２と錐体４との寸法が確定している場合、把持部２，２の比重と、錐体４の比重と、の差が大きくなればなる程、上述した本考案のトングの作用効果（起き上がりこぼし的な機能）をより顕著に発揮させやすくなるからである。また、把持部２，２の原料として、以下の理由等から樹脂がさらに好ましい。把持部２，２の体積はトング１の全体積に占める割合が高いため、把持部２，２を樹脂製にすることでトング１全体も軽量化が図られるとともに、射出成形による大量生産が可能になるなどの他のメリットも生じるからである。
【００２２】
また、図示の例では錘体４を連結部３の内部に収容する構成を採用したが、必ずしもこれに限定されず、例えば、連結部３の外側（外周）に錘体４を取り付けたり、連結部３を金属で作るなどして連結部３自体に錐体４の役割を持たせたりするような構成を採用しても良い。
【実施例２】
【００２３】
（トングを含んだ多機能調理器具セット）
また、図６に示すように、錘体４が収容された受容部６に対して、連結部３の基部３ａを着脱可能に接続できる構造を採用するとともに、しゃもじ形状やへら形状を成す先端２０ｂを有しかつ他端２０ａが受容部６に着脱自在に接続可能な少なくとも一つの装着部材２０（図６ではしゃもじ形状の柄部を有したしゃもじ本体）を用意することが好ましい。
また、装着部材２０の先端形状として、上記例示に限らず、卵用の泡立器や米砥ぎ用の攪拌具に適した形状（例えば、登録実用新案第３０７４８４４号公報に開示の攪拌具）を採用してもよい。なお、一対の把持部２，２と連結部３とを含んだトング本体１０の形状や特徴については、実施例１の場合と同様であり、ここでは説明を省略する。
【００２４】
以上のような構成を採用すれば、トング本体１０に替えて、しゃもじ本体等の装着部材２０をも受容部６に着脱自在に接続できるようになり、単独で自立可能かつ多機能な調理器具セットとなる。つまり、錘体４を収容した受容部６に着脱可能に装着される部材１０，２０に選択肢を与えつつ受容部６を共用可能にすることで、衛生的使用が求められる種々の用途に対応した調理器具セット１００を提供することが可能になる。
【実施例３】
【００２５】
また、本考案の調理器具セット１００の別の実施例（実施例３）においては、図７に示すように、トング１の連結部３を、把持部２，２を連結する第１部材３１と、錘体４及び底部（受容部）６が設けられる第２部材３２と、に分割し、かつ、第１部材３１が第２部材３２に着脱自在に接続されるようにしてもよい。この場合、把持部２，２と連結部３の第１部材３１とがトング本体１０を構成するが、このトング本体１０に替えて、装着部材２０（例えば、しゃもじ本体）の他端２０ａがトング１の第２部材３２に着脱自在に接続可能にしている。
【００２６】
このような構成の実施例３を採用することにより、実施例２で説明した共用部分の体積が本考案の調理器具セット１００の全体積に対して占める割合を増加することができ、種々選択可能な装着部材２０の体積が調理器具セット１００の全体積に占める割合を減らすことができ、生産コストを抑えることが可能になる。
【００２７】
なお、実施例２と実施例３との双方ともに、部材同士を着脱自在に接続可能な構造には、例えば、嵌合、螺着、磁力によって引き合わせる構造が挙げられるが、これらに限定されない。
【産業上の利用可能性】
【００２８】
以上のように本考案のトングは、単独で自立するため衛生的に使用可能であるとともに、起き上がりこぼし的な機能を発揮する構造が内蔵されているためトング倒れ等の心配が不要である等、従来のトングに比べてより使い勝手が良い。
【００２９】
また、トング体の他にしゃもじ形状又はへら形状の装着部材を追加的に用意し、かつ、トング体と起き上がりこぼし的な機能を発揮する構造とを着脱自在に接続可能にする構成を採用すれば、起き上がりこぼし的な構造を共用可能にしつつ、衛生的使用が求められる種々の用途に対応した調理器具セットを提供することが可能になる。このように、本考案のトング及びトングを含んだ調理器具セットは、産業上の利用価値および利用可能性が非常高い。
【符号の説明】
【００３０】
１    トング
２，２    一対の把持部
３    連結部
３ａ    連結部の基部
４    錘体
５    連結部の内部空間
６    受容部（連結部の底部）
７    受容部の底面
１０    トング体
２０    装着部材（しゃもじ本体）
２０ａ    装着部材の他端
２０ｂ    装着部材の先端
３１    連結部の第１部材
３２    連結部の第２部材
１００    調理器具セット
Ｏ    底面の中心点
【図１】
0003171797.tif 000003
【図２】
0003171797.tif 000004
【図３】
0003171797.tif 000005
【図４】
0003171797.tif 000006
【図５】
0003171797.tif 000007
【図６】
0003171797.tif 000008
【図７】
0003171797.tif 000009